【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
複数のコードシンボル及び複数のパイロットシンボルからの入力データビットの見込み値を決定する装置であって、
メモリ素子と、
前記メモリ素子に格納された命令の組を実行するプロセッサと、
を備え、
前記命令の組は、チャネル特性に従って前記複数のコードシンボル及び前記複数のパイロットシンボルに関するゲインベクトルを決定し、前記ゲインベクトルを用いて指定されたコードシンボルの見込み値を決定し、
前記入力データビットは前記指定されたコードシンボルで搬送され、
前記ゲインベクトルを用いて指定されたコードシンボルの見込み値を決定することは、前記指定されたコードシンボルの見込み値を、以下の等式
【数１】
2005515698.tif 000001
に従ってログ見込み率Λｋと定義し、
θ→は前記ゲインベクトル、Ｐθ→（・｜・）は条件付確率、ｄπ（ｋ）は前記指定されたコードシンボル、ｘｊは前記複数のコードシンボルであり、ｙｊ’は前記複数のパイロットシンボルであり、前記指数Ｊ及びＪ’は
【数２】
2005515698.tif 000002
で定義され、項Ｍ＿、Ｍ￣、Ｎ＿及びＮ￣はウィンドウ境界値である、
ことを特徴とする装置。
【請求項２】
前記ウィンドウ境界値Ｍ＿、Ｍ￣、Ｎ＿及びＮ￣は等しいことを特徴とする請求項１に記載の装置。
【請求項３】
前記ウィンドウ境界値Ｍ＿は前記ウィンドウ境界値Ｍ￣に等しく、前記ウィンドウ境界値Ｎ＿は前記ウィンドウ境界値Ｎ￣に等しいことを特徴とする請求項１に記載の装置。
【請求項４】
前記複数のコードシンボルｘｊ及び前記複数のコードシンボルｙｊ’の各々はＬ個の成分からなることを特徴とする請求項１に記載の装置。
【請求項５】
前記Ｌ個の成分の各々に割り当てられたＲＡＫＥ“フィンガー”をさらに備えることを特徴とする請求項４に記載の装置。
【請求項６】
前記Ｌ個の成分は、単一アンテナで受信されたＬ個のマルチパス信号を表すことを特徴とする請求項４に記載の装置。
【請求項７】
前記Ｌ個の成分は、２つあるいはそれ以上のアンテナで受信されたＬ個のマルチパス信号を表すことを特徴とする請求項４に記載の装置。
【請求項８】
前記Ｌ個の成分は、２つあるいはそれ以上の伝送から受信されたＬ個のマルチパス信号を表すことを特徴とする請求項４に記載の装置。
【請求項９】
前記Ｌ個の成分は、２つあるいはそれ以上のキャリアから受信されたＬ個のマルチパス信号を表すことを特徴とする請求項４に記載の装置。
【請求項１０】
チャネル特性に従って前記複数のコードシンボル及び前記複数のパイロットシンボルに関するゲインベクトルを決定することは、
【数３】
2005515698.tif 000003
で定義されるゲインベクトル等式を評価することを備え、
σｐ２／σｔ２はパイロットトラフィック比、ｇ（・，・）は所定の関数、ｄπ（ｋ）は前記指定されたコードシンボル、ｘｊは前記複数のコードシンボルであり、前記指数Ｊは
【数４】
2005515698.tif 000004
で示される範囲を超えて定義され、Ｍは前記複数のコードシンボルにおけるコードシンボル数、Ｎは前記複数のコードシンボルにおけるパイロットシンボル数である、
ことを特徴とする請求項２に記載の装置。
【請求項１１】
前記ゲインベクトル等式を評価することは、
【数５】
2005515698.tif 000005
で示される初期条件で、
【数６】
2005515698.tif 000006
で示される反復式で反復して実行され、ｙｊ’は前記複数のパイロットシンボルを表し、
【数７】
2005515698.tif 000007
であることを特徴とすることを特徴とする請求項１０に記載の装置。
【請求項１２】
前記ゲインベクトルを用いて前記指定されたコードシンボルの見込み値を決定することは、
以下の等式
【数８】
2005515698.tif 000008
に従って、前記指定されたコードシンボルの見込み値をログ見込み率Λｋとして定義し、σｐ２／σｔ２は、パイロットトラフィック比である、
ことを特徴とする請求項１０に記載の装置。
【請求項１３】
チャネル特性に従って前記複数のコードシンボル及び前記複数のパイロットシンボルに関する前記ゲインベクトルを決定することは、
【数９】
2005515698.tif 000009
で定義されるゲインベクトル等式を評価することを備え、
σｐ２／σｔ２は、パイロットトラフィック比、ｇ（・，・）は所定の関数、ｘｊは前記複数のコードシンボルであり、前記指数Ｊは
【数１０】
2005515698.tif 000010
で示される関係により定義され、Ｍは前記複数のコードシンボルにおけるコードシンボル数、Ｎは前記複数のコードシンボルにおけるパイロットシンボル数である、
ことを特徴とする請求項２に記載の装置。
【請求項１４】
前記ゲインベクトル等式を評価することは、
【数１１】
2005515698.tif 000011
で示される初期条件で、
【数１２】
2005515698.tif 000012
で示される反復式で反復して実行され、ｙｊ’は前記複数のパイロットシンボルを表し、
【数１３】
2005515698.tif 000013
である、
ことを特徴とする請求項１３に記載の装置。
【請求項１５】
前記ゲインベクトルを用いて前記指定されたコードシンボルの見込み値を決定することは、
以下の等式
【数１４】
2005515698.tif 000014
ただし、上付文字Ｈは前記ゲインベクトルのエルミート転置
に従って前記指定されたコードシンボルの見込み値をログ見込み率Λｋとして定義することを備える特徴とする請求項１３に記載の装置。
【請求項１６】
ダイバーシティチャネルを介して送信される複数のコードシンボル及び複数のパイロットシンボルを用いることにより指定されたコードシンボルのログ見込み率を決定する装置であって、
メモリ素子と、
前記メモリ素子に格納された命令の組を実行するプロセッサとを備え、
前記命令の組は、
Ｎ’個のコードシンボルのフレームを受信し、
前記コードシンボルのフレームをＮ’／Ｋ個のコードシンボルのグループに分割し、ここで前記ｉ番目のグループは指数ｉＫ＋１，…，（ｉ＋１）Ｋのシンボルを含み、
０から（ｉ＋１）Ｋ−１Ｎ’／Ｋ−１の範囲でカウンタをｉに設定し、
複数の指数を
【数１５】
2005515698.tif 000015
のように設定し、
【数１６】
2005515698.tif 000016
で定義される初期ゲインベクトル条件を設定し、
所定の数の反復回数だけ
【数１７】
2005515698.tif 000017
ただし、σｐ２／σｔ２は、パイロットトラフィック比
で定義されるゲインベクトル等式を反復し、
最終値θ＾ｎをθ＾に設定し、
各ｋ＝ｉＫ＋１，…，（ｉ＋１）Ｋ毎に、
【数１８】
2005515698.tif 000018
で示される値を計算し、
ｉを増分して複数の値｛Λ１，…，ΛＮ’｝が得られるように上記ステップを繰り返す、
ことを備える特徴とする装置。
【請求項１７】
複数のコードシンボル及び複数のパイロットシンボルからの入力データビットの見込み値を決定する方法であって、
チャネル特性に従って前記複数のコードシンボル及び前記複数のパイロットシンボルに関するマルチパスゲインベクトルを決定し、
前記マルチパスゲインベクトルを用いて指定されたコードシンボルの見込み値を決定する、
ことを備え、
前記マルチパスゲインベクトルはＲＡＫＥ受信機フィンガーに対応するエントリーを有し、
前記入力データビットは前記指定されたコードシンボルで搬送される、
ことを特徴とする方法。
【請求項１８】
ダイバーシティチャネルを介して送信される複数のコードシンボル及び複数のパイロットシンボルを用いることにより指定されたコードシンボルのログ見込み率を決定する方法であって、
Ｎ’個のコードシンボルのフレームを受信し、
前記コードシンボルのフレームをＮ’／Ｋ個のコードシンボルのグループに分割し、ここで前記ｉ番目のグループは指数ｉＫ＋１，…，（ｉ＋１）Ｋのシンボルを含み、
０から（ｉ＋１）Ｋ−１Ｎ’／Ｋ−１の範囲でカウンタをｉに設定し、
【数１９】
2005515698.tif 000019
に示すように複数の指数を設定し、
【数２０】
2005515698.tif 000020
で定義される初期ゲインベクトル条件を設定し、
所定の数の反復回数だけ
【数２１】
2005515698.tif 000021
ただし、θｐ２／θｔ２は、パイロットトラフィック比
で定義されるゲインベクトル等式を反復し、
最終値σ＾ｎをσ＾に設定し、
各ｋ＝ｉＫ＋１，…，（ｉ＋１）Ｋ毎に
【数２２】
2005515698.tif 000022
で示される値Λｋを計算し、
ｉを増分して複数の値｛Λ１，…，ΛＮ’｝が得られるように上記ステップを繰り返す、
ことを備える特徴とする装置。
【請求項１９】
複数のコードシンボル及び複数のパイロットシンボルからの入力データビットの見込み値を決定する装置であって、
前記複数のコードシンボル及び前記複数のパイロットシンボルを緩時間可変モデルにプリプロセスする手段と、
前記緩時間可変モデルに対して、前記複数のコードシンボル及び前記複数のパイロットシンボルに関するマルチパスゲインベクトルを決定する手段と、ここで前記マルチパスゲインベクトルはＲＡＫＥ受信機フィンガーについてのエントリーを有し、
前記マルチパスゲインベクトルを用いて指定されたコードシンボルの見込み値を決定する手段と、
を具備してなり、前記入力データビットは前記指定されたコードシンボルで搬送される、
ことを特徴とする装置。
【請求項２０】
複数のコードシンボル及び複数のパイロットシンボルからの入力データビットの見込み値を決定する装置であって、
メモリ素子と、
前記メモリ素子に格納された命令の組を実行するプロセッサと、
を備え、
前記命令の組は、チャネル特性に従って前記複数のコードシンボル及び前記複数のパイロットシンボルに関するゲインベクトルを決定し、前記ゲインベクトルを用いて指定されたコードシンボルの見込み値を決定し、
前記入力データビットは前記指定されたコードシンボルで搬送される、
ことを特徴とする装置。